(57)【特許請求の範囲】
【請求項１】
第１の綴付け装置（５）を有する第１の丁合綴じ機（Ａ）と、前記第１の丁合綴じ機（Ａ）に後続配置された第１の裁断装置（６）と、第２の綴付け装置（５′）を有するスイッチング可能な第２の丁合綴じ機（Ｂ）と、前記第２の丁合綴じ機（Ｂ）に後続配置された第２の裁断装置（６′）と、直列に設置された丁合綴じ機（Ａ，Ｂ）間の移送要素（２）とを備える丁合された印刷紙から形成された印刷製品を綴付けるとともに印刷製品の開放側端部を裁断する装置であり、第１の丁合綴じ機（Ａ）と第１の裁断装置（６）に対して駆動モータ（１５）を設け、前記第１の裁断装置（６）が前記駆動モータ（１５）から切断可能であり、
前記駆動モータ（１５）は前記第１の丁合綴じ機（Ａ）の前記第１の綴付け装置（５）と連結されることを特徴とする装置。
【請求項２】
第１の綴付け装置（５）を有する第１の丁合綴じ機（Ａ）と、前記第１の丁合綴じ機（Ａ）に後続配置された第１の裁断装置（６）と、第２の綴付け装置（５′）を有するスイッチング可能な第２の丁合綴じ機（Ｂ）と、前記第２の丁合綴じ機（Ｂ）に後続配置された第２の裁断装置（６′）と、直列に設置された丁合綴じ機（Ａ，Ｂ）間の移送要素（２）とを備える丁合された印刷紙から形成された印刷製品を綴付けるとともに印刷製品の開放側端部を裁断する装置であり、第１の丁合綴じ機（Ａ）と第１の裁断装置（６）に対して駆動モータ（１５）を設け、前記第１の裁断装置（６）が前記駆動モータ（１５）から切断可能であり、
前記駆動モータ（１５）はギア機構（１９）を介して前記第１の丁合綴じ機（Ａ）の前記第１の綴付け装置（５）と駆動結合されることを特徴とする装置。
【請求項３】
前記駆動モータ（１５）は前記第１の裁断装置（６）上に設けられることを特徴とする請求項１または２記載の装置。
【請求項４】
前記駆動モータ（１５）は切り換え可能な連結器（１６）を介して前記第１の裁断装置（６）と連結可能である請求項１ないし３のいずれかに記載の装置。
【請求項５】
前記駆動モータ（１５）は前記第１の綴付け装置（５）上に設けられることを特徴とする請求項１、２または４のいずれかに記載の装置。
【請求項６】
前記丁合綴じ機（Ａ，Ｂ）のタンデム稼動中において前記第１の裁断装置（６）が前記駆動モータ（１５）から切断されることを特徴とする請求項１ないし５のいずれかに記載の装置。
【請求項７】
前記第１の丁合綴じ機（Ａ）は前記綴付け装置（５）に後続配置された排出装置（２４）を備えており、これがタンデム稼動中において前記第１の丁合綴じ機（Ａ）から切断されることを特徴とする請求項１ないし６のいずれかに記載の装置。
【請求項８】
前記第１の丁合綴じ機（Ａ）は印刷製品の内側部分製品を丁合ならびに綴付けするよう構成されることを特徴とする請求項６または７記載の装置。
【請求項９】
前記丁合綴じ機（Ａ，Ｂ）はいずれも印刷紙または印刷製品を搬送するために同期駆動される搬送装置（３，３′）を備えることを特徴とする請求項１ないし８のいずれかに記載の装置。
【発明の詳細な説明】
【技術分野】
【０００１】
この発明は、第１の綴付け装置を有する丁合綴じ機と、この第１の丁合綴じ機に後続配置された第１の裁断装置と、第２の綴付け装置を有するスイッチング可能な第２の丁合綴じ機と、この第２の丁合綴じ機に後続配置された第２の裁断装置と、列状に設置された丁合綴じ機間の移送要素とを備える、丁合された印刷紙から形成された印刷製品を綴付けるとともに印刷製品の開放側端部を裁断する装置に関する。
【背景技術】
【０００２】
前述した種類のタンデム丁合綴じ機が欧州特許出願公開第１２３２９７８号明細書に記載されている。第１の丁合綴じ機をスレーブ、第２の丁合綴じ機をマスターと呼ぶことも出来る。両方の丁合綴じ機はいずれも丁合チェーンあるいはその他の適宜な搬送機構と、少なくとも１つのフィーダと、綴付け装置と、裁断装置ならびに通常は排出装置および交互積みスタッカとを備えている。交互積みスタッカ内に製造された印刷物が積重ねられる。裁断装置は３枚切断器とすることが好適であり、トリマとも呼ばれる。第１の綴付け装置の後に排出装置が設置されており、これによって印刷物が第１の裁断装置に移送される。このタンデム丁合綴じ機は、いわゆるソロ稼働ならびにタンデム稼働に選択的に適用することができる。
【０００３】
ソロ稼働においては両方の丁合綴じ機が互いに独立して動作する。従ってこの際移送要素は使用されない。第１の丁合綴じ機の排出装置はスイッチオンされている。各裁断装置が非同期モータを備えており、各綴付け装置はサーボモータを備えている。サーボモータはそれぞれこれが従属する非同期モータに追随し、そしてこれが従属する丁合綴じ機の丁合チェーンとフィーダを駆動する。
【０００４】
タンデム稼働に際しては両方の丁合綴じ機が移送要素を介して結合されている。これらは同期して共に動作するが、第１の裁断装置の非同期モータと第１の裁断装置の排出装置は静止している。タンデム稼働においては第１の裁断装置が動作することが許されず、そうでないと刃が磨耗してしまう。第１の綴付け装置のサーボモータは第２の裁断装置の非同期モータに追従する。ここで、未完成製品を綴付け装置によって綴付ける能力が全く提供されないことが難点である。タンデム稼働において、綴付け機構が静止している第１の綴付け装置を介して印刷物が搬送され、従ってこれによって綴付けられることがない。未完成製品を綴付ける必要が有る場合、これを別の丁合綴じ機によって綴付け再度フィードする必要が有る。
【０００５】
【特許文献１】欧州特許出願公開第１２３２９７８号明細書
【発明の開示】
【発明が解決しようとする課題】
【０００６】
従って、本発明の目的は、順列状に接続された丁合綴じ機において第１の丁合綴じ機によって部分製品の予備綴じを可能にする、冒頭に述べた種類の装置を提供することである。
【課題を解決するための手段】
【０００７】
前述した課題は、請求項１に従って解決することができる。
【０００８】
本発明に係る装置において、タンデム稼動中は第１の裁断装置が主駆動装置から切断される。従って第１の裁断装置は静止している。第１の綴付け装置は第１の丁合綴じ機により第１の裁断装置はこれに従属する駆動モータによって駆動され、従来のように第２の裁断装置の非同期モータによっては駆動されない。これによって、第１の丁合綴じ機に馬乗り状に紙を積重ね第１の綴付け装置によって綴付けることが可能となる。予備綴じされた部分製品は移送手段によって第２の丁合綴じ機のフィーダに搬送することができる。この第２の丁合綴じ機のフィーダは予備綴じされた印刷物上に更なる紙を積重ねる。第２の丁合綴じ機の綴付け装置は印刷物全体を綴付けし、従って第２の丁合綴じ機の個々の用紙および第１の丁合綴じ機によって予備綴じされた用紙を綴付ける。第１の丁合綴じ機の部分製品のみが綴付けられるタンデム稼動も可能である。第２の丁合綴じ機のその他の用紙は予備綴じされた部分製品上に積重ねられるのみであり綴付けされない。
【０００９】
本発明の一追加構成によれば、前述した駆動モータが第１の回転裁断機内に設けられている。ソロ稼動においてこの駆動モータは連結器を介して第１の裁断装置と結合されている。タンデム駆動においては第１の裁断装置が駆動モータから切断される。駆動モータは例えばギア機構を介して第１の綴付け装置、第１の丁合綴じ機のフィーダ、ならびに第１の丁合チェーンを駆動する。例えば、重なりギアを介して第１の丁合綴じ機によって移送要素が駆動される。
【００１０】
本発明の一追加構成によれば、駆動モータが第１の丁合綴じ機上に設けられる。この変更例においても駆動モータは第１の裁断装置と連結可能である。連結された状態、すなわちソロ稼動において第１の丁合綴じ機のモータは第１の裁断装置を駆動するとともに、例えば別のギア機構を介して第１の丁合綴じ機のフィーダならびに推進装置あるいは丁合チェーンを駆動する。
【００１１】
本発明の一追加構成によれば、前述した駆動モータがサーボモータからなり特にギア機構を介して第１の丁合綴じ機のその他の構成要素と結合されている。この駆動モータによって駆動される構成要素は特に第１の丁合綴じ機の丁合チェーンとフィーダである。
【００１２】
本発明の一追加構成によれば、予備綴じ動作を備えており、これにおいては第１の裁断装置が前述した主駆動機構から切断されるとともにこの主駆動機構は第１の丁合綴じ機の第１の綴付け装置と丁合チェーンならびにフィーダを駆動し、ここで第１の丁合綴じ機の後に設けられた排出装置は切断されている。予備綴じされた部分製品は、第２の丁合綴じ機においてその他の用紙によって完成品に仕上げることができる。第２の綴付け装置は製品全体従って第２の丁合綴じ機の個別の用紙ならびに第１の丁合綴じ機の予備綴じされた用紙を綴付けることができる。
【００１３】
本発明のその他の好適な特徴は従属請求項ならびに添付図面を参照しながら以下に記す詳細な説明によって明らかにされる。
【実施例】
【００１４】
次に、本発明の実施例につき、添付図面を参照しながら以下に記述する。
【００１５】
図１，３および４には第１の丁合綴じ機Ａおよび第２の丁合綴じ機Ｂとからなる装置１が示されており、これらは直列状に配置されている。両方の丁合綴じ機ＡおよびＢは移送要素２によって相互間で搬送可能に結合することができる。この移送要素２によって第１の丁合綴じ機の製品あるいは部分製品を第２の丁合綴じ機Ｂに移送することができる。この種の移送要素２は例えば欧州特許出願公開第１２３２９７８号明細書に記載されている。
【００１６】
第１の丁合綴じ機Ａは丁合チェーン３またはその他の適宜な搬送装置を備えており、これによって例えば印刷用紙を馬乗り状に搬送することができる。その搬送方向は図３において矢印２６によって示されており、右から左に向いている。第１の丁合綴じ機Ａは複数のフィーダ４を備えており、これらによってそれぞれ印刷紙がいずれも丁合チェーン３上に搬入される。フィーダ４の後に綴付け装置５が設けられており、これによって丁合された印刷紙をその折り目Ｆ上で綴付けることができる。綴付け装置５の後に一般的に知られている排出装置２４が設けられており、これによって丁合された印刷紙を丁合チェーン３から持ち上げ、第１の裁断装置６に供給することができる。排出装置２４の後の搬送方向は図４において矢印２７によって示されている。従って、裁断装置２６における搬送方向は矢印２６の搬送方向に対して垂直となっている。第１の裁断装置６は回転裁断機であることが好適であるが、必ずしもこれである必要はない。裁断装置６の後には例えば交互積みスタッカ７が設けられており、裁断された印刷物をこれによって積重ねることができる。最後に積重ね体を排出するための搬送ベルト２５が設けられている。
【００１７】
第２の丁合綴じ機Ｂは第１の丁合綴じ機Ａと類似あるいは同一な構成とすることができる。ここで移送要素２の後に複数のフィーダ４が設けられており、これらは印刷紙を丁合チェーン３′上に搬入する。排出装置２４′の前に綴付け装置５′が設けられており、これは綴付け装置５と同様に構成することができる。さらに、第２の丁合綴じ機Ｂは裁断装置６′と交互積みスタッカ７′ならびに搬送ベルト２５′を備えている。
【００１８】
装置１は基本的に２つの稼動方式で使用することができる。いわゆるソロ稼動である第１の稼動方式において、両方の丁合綴じ機ＡおよびＢは互いに独立して使用され、従って移送要素２は静止している。両方の丁合綴じ機ＡおよびＢを同時に稼動させることもできる。両方の丁合綴じ機ＡおよびＢのうちの片方のみを使用することもできる。第２の稼動方式はいわゆるタンデム稼動である。これにおいては両方の丁合綴じ機ＡおよびＢが移送要素２を介して互いに結合される。裁断装置６および交互積みスタッカ７ならびに搬送ベルト２５は静止している。タンデム稼動においても３つの動作方式があり、それらは図２ａないし２ｃを参照しながら以下に説明する。
【００１９】
図２ａに示された第１の方式においては第１の丁合綴じ機Ａ内で部分製品８が製造される。これは例えばここには図示されていない複数の印刷紙からなる。部分製品８は折り目Ｆを備えており、図１に示されているように丁合チェーン３によって馬乗り状に搬送される。部分製品８は第１の綴付け装置５によって綴付けされ、従って折り目Ｆは例えば２つの綴じ針２１を備えている。部分製品８は移送要素２によって第２の丁合綴じ機Ｂに移送され、そしてその中で第１の部分製品８上に第２の部分製品９が製造される。この第２の部分製品９も綴付けされて綴じ針２２を備え、これらはいずれも部分製品８を把持することができる。両方の部分製品８および９から統合製品１０が構成される。従って、この統合製品１０は内側に綴付けられた部分製品８を含んでいる。この統合製品１０は第２の裁断装置６′に供給され、ここで通常通りに前部、脚部および頭部の裁断が行われる。続いてこの統合製品１０が交互積みスタッカ７′内に積重ねられ、搬送ベルト２５′によって排出される。
【００２０】
図２ｂに従った第２の方式においては部分製品８のみが綴付けられる。第２の丁合綴じ機Ｂ内で部分製品１１が製造され部分製品８に付加される。しかしながらこの部分製品１１は綴付けられない。従って、統合製品２８は綴付けられた部分製品８と部分製品１１とからなり、この部分製品１１は単一の用紙または封筒等とすることができる。
【００２１】
図２ｃに示された第３の方式においては、丁合綴じ機Ａ内で綴付けされない部分製品１２が製造される。この場合第１の綴付け装置５は綴付けを行わない。第２の丁合綴じ機Ｂ内において部分製品１２上に部分製品１３が載置されこれが綴付けされて綴じ針２３を備えている。これらの綴じ針２３は同時に綴付けされていない部分製品１２を把持する。統合製品１４または印刷製品は再び裁断装置６′によって裁断される。
【００２２】
図１によれば第１の裁断装置６上に駆動モータ１５が設けられており、これはサーボモータとすることが好適である。駆動モータ１５はギア１７を備えており、これは連結器１６を介して裁断装置６と連結することができる。この連結器１６は制御装置によって付勢可能な電磁連結器とすることができる。従って、連結された状態において裁断装置６は駆動モータ１５によって駆動される。切断された状態において裁断装置６は静止している。これはタンデム稼動の場合に相当し、その場合裁断装置６の刃が回転することが許されないためであり、そうでないと刃が磨耗してしまう。
【００２３】
ギア１７は別のギア１８を介してギア機構１９と結合されており、これによって駆動モータ１５が第１の丁合綴じ機の別の被駆動構成要素と結合される。これらは特に第１の綴付け装置５、フィーダ４、および丁合チェーン３である。重なりギアあるいはその他の適宜なギアを介して同時に移送要素２を第１の丁合綴じ機Ａによって駆動することができる。この第１の裁断装置６が切断されると、第１の駆動モータ１５が第１の綴付け装置５、フィーダ４、ならびに丁合チェーン３に対する主駆動機構となる。この稼動方式において、部分製品８は図２ａおよび図２ｂに示されるように第１の綴付け装置５によって綴付けることができる。従ってこの部分製品８が予備綴じされ、前述したように移送要素２によって第２の丁合綴じ機Ｂに移送される。
【００２４】
一変更例によれば、駆動モータ１５が第１の綴付け装置５上に設けられる。その他の特徴は前述の通りであり、特にこの実施形態においても駆動モータ１５は連結器１６を介して裁断装置６と結合される。
【図面の簡単な説明】
【００２５】
【図１】本発明に係る装置の概略上面図であり、第２の丁合綴じ機は部分的にのみ示されている。
【図２ａ】完成品の製造を示す方法を示す概略図である。
【図２ｂ】完成品の製造を示す方法を示す概略図である。
【図２ｃ】完成品の製造を示す方法を示す概略図である。
【図３】本発明に係る装置の側面を示す概略構成図である。
【図４】図３に示された装置の上面図である。
【符号の説明】
【００２６】
１  装置
２  移送装置
３  丁合チェーン
４  フィーダ
５，５′  綴付け装置
６，６′  裁断装置
７，７′  交互積みスタッカ
８，９，１１，１２  部分製品
１５  駆動モータ
１６  連結器
１７，１８  ギア
１９  ギア機構
２０  重なりギア
２４，２４′  排出装置
２５，２５′  搬送ベルト
【図１】
0004700402.tif 000002
【図２ａ】
0004700402.tif 000003
【図２ｂ】
0004700402.tif 000004
【図２ｃ】
0004700402.tif 000005
【図３】
0004700402.tif 000006
【図４】
0004700402.tif 000007